【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
遊技機を包装する方法であって、
前記遊技機の制御を行う部分の少なくとも一部を覆うように、熱可塑性材料からなる包装用シートを前記遊技機の外周に被着するシート被着工程と、
前記遊技機の外周に被着された前記包装用シートの少なくとも一部に熱処理を施す熱処理工程と
を備え、
前記熱処理工程は、前記包装用シートにおいて、前記遊技機の背面に配設された一又は複数の基板ボックスのいずれかの端部近傍を覆う箇所に熱処理を施すことを特徴とする遊技機の包装方法。
【請求項２】
前記熱処理工程は、前記包装用シートにおいて、少なくとも最上位置の基板ボックスの上端部近傍を覆う箇所に熱処理を施すことを特徴とする請求項１に記載の遊技機の包装方法。
【請求項３】
前記熱処理工程は、前記包装用シートにおいて、少なくとも最下位置の基板ボックスの下端部近傍を覆う箇所に熱処理を施すことを特徴とする請求項１又は２に記載の遊技機の包装方法。
【請求項４】
前記遊技機の背面には複数の基板ボックスが隣接して配設され、
前記熱処理工程では、前記包装用シートにおいて、少なくとも一の基板ボックスと隣接する他の基板ボックスとの間を覆う箇所に熱処理を施すことを特徴とする請求項１に記載の遊技機の包装方法。
【請求項５】
請求項１乃至４のいずれかに記載の方法により包装された遊技機。
【手続補正２】
【補正対象書類名】明細書
【補正対象項目名】０００８
【補正方法】変更
【補正の内容】
【０００８】
１．遊技機を包装する方法であって、
前記遊技機の制御を行う部分の少なくとも一部を覆うように、熱可塑性材料からなる包装用シートを前記遊技機の外周に被着するシート被着工程と、
前記遊技機の外周に被着された前記包装用シートの少なくとも一部に熱処理を施す熱処理工程と
を備え、
前記熱処理工程は、前記包装用シートにおいて、前記遊技機の背面に配設された一又は複数の基板ボックスのいずれかの端部近傍を覆う箇所に熱処理を施すことを特徴とする遊技機の包装方法。
手段１によれば、まず、シート被着工程で、遊技機の制御を行う部分の少なくとも一部を覆うように、熱可塑性材料からなる包装用シートを遊技機の外周に被着する。次に、熱処理工程で、遊技機の外周に被着された包装用シートの少なくとも一部に熱処理を施すと、包装用シートが熱可塑性材料からなるため、当該被熱処理部分が収縮して遊技機の外周形状に沿って略密着する。熱処理工程終了後、熱可塑性材料からなる包装用シートの被熱処理部分が常温で冷却されて硬化するので、包装用シートが遊技機の外周へ略密着する状態が保たれる。
従って、手段１の方法によって包装された包装用シートは、遊技機の外周形状に沿って略密着しているため、包装用シートを一旦切断・開封して、遊技機の制御を行う部分等に不正改造を行った後、元の包装状態と全く見分けがつかないように再包装することは不可能である。よって、不正改造の発見をより確実にすると共に、不正改造の未然防止を図ることができる。
また、包装用シートを被着した状態で熱処理により収縮させて遊技機の外周へ略密着させるので、シートを伸張させて遊技機へ巻きつけて包装する従来方法のようにシートの伸張強度や巻きつけ強度を調整することは必要とされない。このため、包装作業を簡単に行うことができると共に、包装用シートの破れや、包装用シートの巻きつけにより遊技機の各構成部材へ悪影響を与える等の不具合が生じることがない。特に、包装用シートにおいて遊技機外周との間に隙間が生じやすい基板ボックスの端部近傍を覆う箇所に熱処理が施されるので、遊技機背面における当該箇所において確実に収縮させて遊技機の外周へ略密着させることができる。
【手続補正３】
【補正対象書類名】明細書
【補正対象項目名】０００９
【補正方法】変更
【補正の内容】
【０００９】
２．前記熱処理工程は、前記包装用シートにおいて、少なくとも最上位置の基板ボックスの上端部近傍を覆う箇所に熱処理を施すことを特徴とする手段１に記載の遊技機の包装方法。
手段２によれば、包装用シートにおいて最上位置の基板ボックスの上端部近傍を覆う箇所に熱処理を施すことにより、遊技機背面における包装用シートの上部を確実に収縮させて遊技機外周へ略密着させることができる。
【手続補正４】
【補正対象書類名】明細書
【補正対象項目名】００１０
【補正方法】変更
【補正の内容】
【００１０】
３．前記熱処理工程は、前記包装用シートにおいて、少なくとも最下位置の基板ボックスの下端部近傍を覆う箇所に熱処理を施すことを特徴とする手段１又は２に記載の遊技機の包装方法。  
手段３によれば、包装用シートにおいて最下位置の基板ボックスの下端部近傍を覆う箇所に熱処理を施すことにより、遊技機背面における包装用シートの下部を確実に収縮させて遊技機外周へ略密着させることができる。
【手続補正５】
【補正対象書類名】明細書
【補正対象項目名】００１１
【補正方法】変更
【補正の内容】
【００１１】
４．前記遊技機の背面には複数の基板ボックスが隣接して配設され、
前記熱処理工程では、前記包装用シートにおいて、少なくとも一の基板ボックスと隣接する他の基板ボックスとの間を覆う箇所に熱処理を施すことを特徴とする手段１に記載の遊技機の包装方法。
手段４によれば、包装用シートにおいて遊技機外周との間に隙間が生じやすい一の基板ボックスと隣接する他の基板ボックスとの間を覆う箇所に熱処理が施されるので、遊技機背面の当該箇所において確実に収縮させて遊技機の外周へ略密着させることができる。
【手続補正６】
【補正対象書類名】明細書
【補正対象項目名】００１２
【補正方法】変更
【補正の内容】
【００１２】
５．前記シート被着工程は、少なくとも前記遊技機の主制御を行う主制御装置の一部又は全体を覆うように前記包装用シートを被着することを特徴とする手段１乃至４のいずれかに記載の遊技機の包装方法。
手段５によれば、少なくとも遊技機の主制御を行う主制御装置の一部又は全体を覆うように包装用シートが被着され、且つ熱処理によって包装用シートが収縮して遊技機の外周に略密着した状態とされるので、主制御装置への不正改造の発見を容易にすると共に不正改造の未然防止を図ることができる。
【手続補正７】
【補正対象書類名】明細書
【補正対象項目名】００１３
【補正方法】変更
【補正の内容】
【００１３】
６．前記シート被着工程は、少なくとも前記遊技機に設けられた役物の制御を行う役物制御装置の一部又は全体を覆うように前記包装用シートを被着することを特徴とする手段１乃至５のいずれかに記載の遊技機の包装方法。
手段６によれば、少なくとも遊技機に設けられた役物の制御を行う役物制御装置の一部又は全体を覆うように包装用シートが被着され、且つ熱処理によって包装用シートが収縮して遊技機の外周に略密着した状態とされるので、役物制御装置への不正改造の発見を容易にすると共に不正改造の未然防止を図ることができる。
【手続補正８】
【補正対象書類名】明細書
【補正対象項目名】００１４
【補正方法】変更
【補正の内容】
【００１４】
７．前記シート被着工程は、少なくとも賞球の払出し制御を行う払出し制御装置の一部又は全体を覆うように前記包装用シートを被着することを特徴とする手段１乃至６のいずれかに記載の遊技機の包装方法。
手段７によれば、少なくとも賞球の払出し制御を行う払出し制御装置の一部又は全体を覆うように包装用シートが被着され、且つ熱処理によって包装用シートが収縮して遊技機の外周に略密着した状態とされるので、払出し制御装置への不正改造の発見を容易にすると共に不正改造の未然防止を図ることができる。
【手続補正９】
【補正対象書類名】明細書
【補正対象項目名】００１５
【補正方法】変更
【補正の内容】
【００１５】
８．前記包装用シートは、帯状のシートであり、
前記シート被着工程は、前記帯状の包装用シートを前記遊技機の外周に緩く巻きつける工程であることを特徴とする手段１乃至７のいずれかに記載の遊技機の包装方法。
手段８によれば、帯状の包装用シートが遊技機の外周に緩く巻きつけられた後、その巻きつけられた包装用シートが熱処理によって収縮して遊技機の外周に略密着した状態とされる。
【手続補正１０】
【補正対象書類名】明細書
【補正対象項目名】００１６
【補正方法】変更
【補正の内容】
【００１６】
９．前記包装用シートは、前記遊技機の所定方向における外径よりも大きな内径を有する筒状のシートであり、
前記シート被着工程は、前記遊技機の前記所定方向に対して直交する方向から前記遊技機の外周へ前記筒状の包装用シートを被せる工程であることを特徴とする手段１乃至７のいずれかに記載の遊技機の包装方法。
手段９によれば、包装用シートが遊技機の所定方向における外径よりも大きな内径を有する筒状のシートであるので、所定方向に対して直交する方向から遊技機の外周へ筒状の包装用シートを被せることができ、その被せられた包装用シートが熱処理によって収縮して遊技機の外周に略密着した状態とされる。
【手続補正１１】
【補正対象書類名】明細書
【補正対象項目名】００１７
【補正方法】変更
【補正の内容】
【００１７】
１０．前記包装用シートは、前記遊技機の所定方向における外径よりも大きな内径を有する袋状のシートであり、
前記シート被着工程は、前記遊技機の前記所定方向に対して直交する方向から前記遊技機の外周へ前記袋状の包装用シートを被せる工程であることを特徴とする手段１乃至７のいずれかに記載の遊技機の包装方法。
手段１０によれば、包装用シートが遊技機の所定方向における外径よりも大きな内径を有する袋状のシートであるので、所定方向に対して直交する方向から遊技機の外周へ袋状の包装用シートを被せることができ、その被せられた包装用シートが熱処理によって収縮して遊技機の外周に略密着した状態とされる。
【手続補正１２】
【補正対象書類名】明細書
【補正対象項目名】００１８
【補正方法】変更
【補正の内容】
【００１８】
１１．前記熱処理工程は、前記包装用シートの特定箇所へ局所的に熱処理を施すことを特徴とする手段１乃至１０のいずれかに記載の遊技機の包装方法。
手段１１によれば、包装用シートの特定箇所へ局所的に熱処理を施して収縮させるので、効率的に包装用シートを遊技機の外周に略密着させることができると共に、不必要な箇所へ熱処理を施さないことによりエネルギーの無駄な消費を抑えることができる。
【手続補正１３】
【補正対象書類名】明細書
【補正対象項目名】００１９
【補正方法】変更
【補正の内容】
【００１９】
１２．前記熱処理工程は、前記包装用シートにおいて、前記制御を行う部分の電子部品搭載箇所を避けて熱処理を施すことを特徴とする手段１乃至１１のいずれかに記載の遊技機の包装方法。
手段１２によれば、包装用シートにおいて制御を行う部分の電子部品搭載箇所を避けて熱処理が施されるので、熱処理によって電子部品を損傷することが防止される。ここで、電子部品とは、熱処理が施された場合に耐熱温度を超える可能性がある部品であり、例えば、遊技機の各部を制御するためのＣＰＵや制御プログラムが記憶されたＲＯＭ等を指している。
【手続補正１４】
【補正対象書類名】明細書
【補正対象項目名】００２０
【補正方法】変更
【補正の内容】
【００２０】
１３．前記熱処理工程は、前記包装用シートにおいて、少なくとも前記遊技機外周における一又は複数の段差部分近傍を覆う箇所に熱処理を施すことを特徴とする手段１乃至１２のいずれかに記載の遊技機の包装方法。
【手続補正１５】
【補正対象書類名】明細書
【補正対象項目名】００２１
【補正方法】変更
【補正の内容】
【００２１】
手段１３によれば、包装用シートにおいて遊技機外周との間に隙間が生じやすい段差部分近傍を覆う箇所に熱処理が施されるので、当該箇所において確実に収縮させて遊技機の外周へ略密着させることができる。
【手続補正１６】
【補正対象書類名】明細書
【補正対象項目名】００２２
【補正方法】変更
【補正の内容】
【００２２】
１４．前記熱処理工程は、前記包装用シートにおいて、少なくとも前記遊技機前面に配設された上皿の上部近傍を覆う箇所に熱処理を施すことを特徴とする手段１乃至１３のいずれかに記載の遊技機の包装方法。
手段１４によれば、包装用シートにおいて遊技機外周との間に隙間が生じやすい上皿の上部近傍を覆う箇所に熱処理が施されるので、遊技機前面の当該箇所において確実に収縮させて遊技機の外周へ略密着させることができる。
【手続補正１７】
【補正対象書類名】明細書
【補正対象項目名】００２３
【補正方法】変更
【補正の内容】
【００２３】
１５．前記熱処理工程は、前記包装用シートにおいて、少なくとも前記遊技機前面に配設された下皿の下部近傍を覆う箇所に熱処理を施すことを特徴とする手段１乃至１４のいずれかに記載の遊技機の包装方法。
手段１５によれば、包装用シートにおいて遊技機外周との間に隙間が生じやすい下皿の下部近傍を覆う箇所に熱処理が施されるので、遊技機前面の当該箇所において確実に収縮させて遊技機の外周へ略密着させることができる。
【手続補正１８】
【補正対象書類名】明細書
【補正対象項目名】００２４
【補正方法】変更
【補正の内容】
【００２４】
１６．前記熱処理工程は、前記包装用シートにおいて、少なくとも前記遊技機前面に配設された上皿と下皿との間を覆う箇所に熱処理を施すことを特徴とする手段１乃至１５のいずれかに記載の遊技機の包装方法。
手段１６によれば、包装用シートにおいて遊技機外周との間に隙間が生じやすい上皿と下皿との間を覆う箇所に熱処理が施されるので、遊技機前面の当該箇所において確実に収縮させて遊技機の外周へ略密着させることができる。
【手続補正１９】
【補正対象書類名】明細書
【補正対象項目名】００２５
【補正方法】変更
【補正の内容】
【００２５】
１７．前記熱処理工程は、前記包装用シートにおいて、少なくとも前記遊技機の高耐熱性部材を覆う箇所に熱処理を施すことを特徴とする手段１乃至１６のいずれかに記載の遊技機の包装方法。
手段１７によれば、包装用シートにおいて遊技機の高耐熱性部材を覆う箇所に熱処理が施されるので、遊技機が熱処理によって損傷することを防止することができる。
【手続補正２０】
【補正対象書類名】明細書
【補正対象項目名】００２６
【補正方法】変更
【補正の内容】
【００２６】
１８．前記熱処理工程は、前記包装用シートにおいて、少なくとも前記遊技機の金属製部材を覆う箇所に熱処理を施すことを特徴とする手段１７に記載の遊技機の包装方法。
手段１８によれば、包装用シートにおいて遊技機各部に設けられた金属製部材を覆う箇所に熱処理が施されるので、遊技機が熱処理によって損傷することを防止することができる。
【手続補正２１】
【補正対象書類名】明細書
【補正対象項目名】００２７
【補正方法】変更
【補正の内容】
【００２７】
１９．前記熱処理工程は、前記包装用シートにおいて、少なくとも前記遊技機の熱硬化性樹脂製部材を覆う箇所に熱処理を施すことを特徴とする手段１７に記載の遊技機の包装方法。
手段１９によれば、包装用シートにおいて遊技機に設けられた熱硬化性樹脂製部材（例えば、遊技機前面に設けられた灰皿等）を覆う箇所に熱処理が施されるので、遊技機が熱処理によって損傷することを防止することができる。
【手続補正２２】
【補正対象書類名】明細書
【補正対象項目名】００２８
【補正方法】変更
【補正の内容】
【００２８】
２０．前記熱処理工程は、前記包装用シートにおいて、少なくとも前記包装用シートと前記遊技機との間に所定の距離が確保される箇所に熱処理を施すことを特徴とする手段１乃至１９のいずれかに記載の遊技機の包装方法。
手段２０によれば、包装用シートにおいて包装用シートと遊技機との間に所定の距離が確保される箇所に熱処理が施されるので、遊技機に対する熱伝導が少なく、熱処理による遊技機の損傷を防止することができる。さらに、当該箇所の包装用シートを熱処理によって収縮させることにより、遊技機の外周へ密着させることができる。尚、包装用シートと遊技機との間に所定の距離が確保される箇所とは、例えば、遊技機前面の上皿、下皿の端部近傍及び上皿と下皿との間、遊技機背面の基板ボックスの端部近傍、隣接する基板ボックスの間等である。
【手続補正２３】
【補正対象書類名】明細書
【補正対象項目名】００２９
【補正方法】変更
【補正の内容】
【００２９】
２１．前記熱可塑性材料は、熱可塑性樹脂であることを特徴とする手段１乃至２０のいずれかに記載の遊技機の包装方法。
手段２１によれば、包装用シートが熱可塑性樹脂からなるので、遊技機を確実に保護することができると共に、熱処理によって容易に収縮させ、且つ常温で冷却して硬化させることができる。
【手続補正２４】
【補正対象書類名】明細書
【補正対象項目名】００３０
【補正方法】変更
【補正の内容】
【００３０】
２２．前記熱可塑性樹脂は、ポリエチレン、ポリプロピレン、ポリスチレン、ＡＢＳ樹脂、塩化ビニル樹脂、メタクリル酸メチル樹脂、フッ素樹脂、ポリエステル、ポリカーボネート、ナイロンのいずれかであることを特徴とする手段２１に記載の遊技機の包装方法。
手段２２によれば、ポリエチレン、ポリプロピレン、ポリスチレン、ＡＢＳ樹脂、塩化ビニル樹脂、メタクリル酸メチル樹脂、フッ素樹脂、ポリエステル、ポリカーボネート、ナイロンのいずれかであるので、安価な包装用シートにより、遊技機を確実に保護することができると共に、熱処理によって容易に収縮させ、且つ常温で冷却して硬化させることができる。
【手続補正２５】
【補正対象書類名】明細書
【補正対象項目名】００３１
【補正方法】変更
【補正の内容】
【００３１】
２３．前記熱処理工程は、熱風の吹きつけを行う工程であることを特徴とする手段１乃至２２のいずれかに記載の遊技機の包装方法。
手段２３によれば、遊技機の外周に被着された包装用シートの少なくとも一部に熱風の吹きつけを行うことにより当該部分が熱収縮するので、包装用シートを確実に遊技機外周へ略密着させることができる。
【手続補正２６】
【補正対象書類名】明細書
【補正対象項目名】００３２
【補正方法】変更
【補正の内容】
【００３２】
２４．前記熱処理工程は、２００℃〜４００℃の温度で実施されることを特徴とする手段１乃至２３のいずれかに記載の遊技機の包装方法。
手段２４によれば、熱処理工程が２００℃〜４００℃の温度で実施されるので、熱可塑性材料からなる包装用シートを確実に収縮させることができると共に、熱によって遊技機を損傷させることがない。
【手続補正２７】
【補正対象書類名】明細書
【補正対象項目名】００３３
【補正方法】変更
【補正の内容】
【００３３】
２５．手段１乃至２４のいずれかに記載の方法により包装された遊技機。
手段２５によれば、包装用シートが遊技機の外周形状に沿って略密着しているため、包装用シートを一旦切断・開封して、遊技機の制御を行う部分等に不正改造を行った後、元の包装状態と全く見分けがつかないように再包装することは不可能である。よって、不正改造の発見をより確実にすると共に、不正改造の未然防止を図ることができる。